(57)【要約】【課題】流動物を均一かつ十分に熱処理することができながら、設備費が著しく増加することもない、流動物の熱処理方法とする。【解決手段】横型円筒２の一方端から流動物Ｒｂを供給し、この流動物Ｒｂを熱処理しつつ円筒２内周面と内接するスクリュー羽根３を回転して他方端まで搬送し排出する。流動物Ｒｂの搬送は、スクリュー羽根３の正転及びこれに続く逆転を１回又は複数回繰り返してから、正転（最後の正転）して行う。流動物Ｒｂの供給は、最後の正転によって前回供給した流動物Ｒｂと混ざらない状態になったときのみに行う。流動物Ｒｂの排出は、最後の逆転に続く正転によって行う。【選択図】図１
2006343041.tif 000002
【特許請求の範囲】
【請求項１】
横型円筒の一方端から流動物を供給し、この流動物を熱処理しつつ前記円筒内周面と内接するスクリュー羽根を回転して他方端まで搬送し排出する、流動物の熱処理方法であって、
前記流動物の搬送は、前記スクリュー羽根の正転及びこれに続く逆転を１回又は複数回繰り返してから、正転して行い、
前記流動物の供給は、前記最後の正転によって前回供給した流動物と混ざらない状態になったときのみに行い、
前記流動物の排出は、前記最後の正転に続く正転によって行う、ことを特徴とする流動物の熱処理方法。
【請求項２】
横型円筒の一方端から流動物を供給し、この流動物を熱処理しつつ前記円筒内周面と内接するスクリュー羽根を回転して他方端まで搬送し排出する、流動物の熱処理方法であって、
前記流動物の搬送は、前記スクリュー羽根の（Ｓ＋α）度（°）正転及びこれに続くＳ度（°）逆転を、次記（Ａ）の条件を満たすように行い、
前記流動物の供給は、前記正転によって前回供給した流動物と混ざらない状態になったときのみに行い、
前記流動物の排出は、前記正転によって行う、ことを特徴とする流動物の熱処理方法。
（Ａ）…  α（°）＝（３６０×Ｌ／Ｐ）／（Ｔ／ｔｓ）
ここで、Ｌは横型円筒の有効全長（ｍ）、Ｐはスクリュー羽根のピッチ（ｍ）、Ｔは滞留時間（ｈ）、ｔｓは１回の正転及び逆転に要する時間（ｈ）、である。
【請求項３】
一方端から流動物が供給される横型円筒と、この円筒内周面と内接し前記一方端から供給された流動物を他方端まで搬送し排出するスクリュー羽根と、を有し、前記スクリュー羽根の相互に隣接する一対の羽根片及び前記円筒の底側内周面で円筒軸方向に複数の熱処理空間が形成された、流動物の熱処理装置であって、
前記スクリュー羽根の回転を、正転及びこれに続く逆転を１回又は複数回繰り返してから、正転するように制御する回転制御手段と、
前記流動物の供給を、前記最後の正転によって前回供給した流動物が存在しなくなった熱処理空間のみに対して行う供給制御手段と、を有し、
前記スクリュー羽根は、前記流動物が前記最後の正転に続く正転以外の正転では排出されない巻数になっている、ことを特徴とする流動物の熱処理装置。
【請求項４】
一方端から流動物が供給される横型円筒と、この円筒内周面と内接し前記一方端から供給された流動物を他方端まで搬送し排出するスクリュー羽根と、を有し、前記スクリュー羽根の相互に隣接する一対の羽根片及び前記円筒の底側内周面で円筒軸方向に複数の熱処理空間が形成された、流動物の熱処理装置であって、
前記スクリュー羽根の回転を、（Ｓ＋α）度（°）正転及びこれに続くＳ度（°）逆転を前記（Ａ）の条件を満たすように行うように制御する回転制御手段と、
前記流動物の供給を、前記正転によって前回供給した流動物が存在しなくなった熱処理空間のみに対して行う供給制御手段と、を有し、
前記スクリュー羽根のピッチが、前記流動物の供給側から排出側に行くにしたがって、長くなっている、ことを特徴とする流動物の熱処理装置。
【発明の詳細な説明】
【技術分野】
【０００１】
本発明は、流動物を、加熱、冷却、乾燥等の熱処理する方法及び装置に関するものである。
【背景技術】
【０００２】
この種の熱処理装置としては、一方端から流動物が供給される横型円筒と、この円筒内周面と内接し前記一方端から供給された流動物を他方端まで搬送し排出するスクリュー羽根とを有する、例えば、ロータリーキルンなどが、実用化されている（スクリュー羽根が横型円筒内周面と内接する熱処理装置は、現存するが、このことを明確に示す文献は、みあたらなかった。なお、ロータリーキルン自体については、特許文献１参照。）。本熱処理装置においては、横型円筒の一方端から流動物を供給し、この流動物を熱処理しつつ円筒内周面と内接するスクリュー羽根を回転して他方端まで搬送し排出する。本熱処理装置のスクリュー羽根は、回転速度が遅いと、流動物がフロック化し熱処理が不均一になるおそれがあるため、ある程度の速さ以上で回転される。
【０００３】
しかしながら、ある程度の速さ以上で回転してフロックの発生を防いだとしても、供給された流動物のうち、流動性の良い部分は搬送スピードが速く、他方、流動性の悪い部分は搬送スピードが遅くなるため、熱処理時間差が生じてしまい、なお熱処理が不均一になるおそれがある。例えば、平均熱処理時間が１時間の装置では、熱処理時間が短いもので０．５時間、長いもので２時間と、大きな差が生じてしまう。
【０００４】
また、スクリュー羽根を、ある程度の速さ以上で回転すると、搬送スピードが速くなるため、十分な熱処理時間を確保することができなくなる。十分な熱処理時間を確保するためには、例えば、横型円筒及びスクリュー羽根を、円筒軸方向に著しく長くしたり、あるいはスクリュー羽根のピッチを短くしたりすることも考えられる。しかしながら、これらの装置改造は、製造上困難、あるいは製造費が著しく増加するとの問題があり、現実的にも存在していない。
【特許文献１】特開１１−１８２８２５号公報
【発明の開示】
【発明が解決しようとする課題】
【０００５】
本発明が解決しようとする主たる課題は、流動物を均一な熱履歴でかつ十分に熱処理することができながら、設備費が著しく増加することもない、流動物の熱処理方法及び熱処理装置を提供することにある。
【課題を解決するための手段】
【０００６】
この課題を解決した本発明は、次のとおりである。
〔請求項１記載の発明〕
横型円筒の一方端から流動物を供給し、この流動物を熱処理しつつ前記円筒内周面と内接するスクリュー羽根を回転して他方端まで搬送し排出する、流動物の熱処理方法であって、
前記流動物の搬送は、前記スクリュー羽根の正転及びこれに続く逆転を１回又は複数回繰り返してから、正転して行い、
前記流動物の供給は、前記最後の正転によって前回供給した流動物と混ざらない状態になったときのみに行い、
前記流動物の排出は、前記最後の正転に続く正転によって行う、ことを特徴とする流動物の熱処理方法。
【０００７】
〔請求項２記載の発明〕
横型円筒の一方端から流動物を供給し、この流動物を熱処理しつつ前記円筒内周面と内接するスクリュー羽根を回転して他方端まで搬送し排出する、流動物の熱処理方法であって、
前記流動物の搬送は、前記スクリュー羽根の（Ｓ＋α）度（°）正転及びこれに続くＳ度（°）逆転を、次記（Ａ）の条件を満たすように行い、
前記流動物の供給は、前記正転によって前回供給した流動物と混ざらない状態になったときのみに行い、
前記流動物の排出は、前記正転によって行う、ことを特徴とする流動物の熱処理方法。
（Ａ）…  α（°）＝（３６０×Ｌ／Ｐ）／（Ｔ／ｔｓ）
ここで、Ｌは横型円筒の有効全長（ｍ）、Ｐはスクリュー羽根のピッチ（ｍ）、Ｔは滞留時間（ｈ）、ｔｓは１回の正転及び逆転に要する時間（ｈ）、である。
【０００８】
〔請求項３記載の発明〕
一方端から流動物が供給される横型円筒と、この円筒内周面と内接し前記一方端から供給された流動物を他方端まで搬送し排出するスクリュー羽根と、を有し、前記スクリュー羽根の相互に隣接する一対の羽根片及び前記円筒の底側内周面で円筒軸方向に複数の熱処理空間が形成された、流動物の熱処理装置であって、
前記スクリュー羽根の回転を、正転及びこれに続く逆転を１回又は複数回繰り返してから、正転するように制御する回転制御手段と、
前記流動物の供給を、前記最後の正転によって前回供給した流動物が存在しなくなった熱処理空間のみに対して行う供給制御手段と、を有し、
前記スクリュー羽根は、前記流動物が前記最後の正転に続く正転以外の正転では排出されない巻数になっている、ことを特徴とする流動物の熱処理装置。
【０００９】
〔請求項４記載の発明〕
一方端から流動物が供給される横型円筒と、この円筒内周面と内接し前記一方端から供給された流動物を他方端まで搬送し排出するスクリュー羽根と、を有し、前記スクリュー羽根の相互に隣接する一対の羽根片及び前記円筒の底側内周面で円筒軸方向に複数の熱処理空間が形成された、流動物の熱処理装置であって、
前記スクリュー羽根の回転を、（Ｓ＋α）度（°）正転及びこれに続くＳ度（°）逆転を前記（Ａ）の条件を満たすように行うように制御する回転制御手段と、
前記流動物の供給を、前記正転によって前回供給した流動物が存在しなくなった熱処理空間のみに対して行う供給制御手段と、を有し、
前記スクリュー羽根のピッチが、前記流動物の供給側から排出側に行くにしたがって、長くなっている、ことを特徴とする流動物の熱処理装置。
【００１０】
（主な作用効果）
（１）流動物の供給を、最後の正転によって前回供給した流動物と混ざらない状態になったときのみに行うと、熱処理時間差が、１回で供給した流動物ごとに生じるに過ぎなくなるため、均一な熱処理が可能となる。
【００１１】
（２）流動物の搬送を、スクリュー羽根の正転及びこれに続く逆転を１回又は複数回繰り返してから、正転して行うと、正転及びこれに続く逆転時には、流動物が進まない状態になるため、横型円筒及びスクリュー羽根を著しく長くしたり、スクリュー羽根のピッチを短くしたりしなくても、十分な熱処理時間の確保が可能となる。
【００１２】
（３）この回転制御に関して、回転角度を厳密に制御することができる場合は、流動物の搬送を、スクリュー羽根の（Ｓ＋α）度（°）正転及びこれに続くＳ度（°）逆転を、α（°）＝（３６０×Ｌ／Ｐ）／（Ｔ／ｔｓ）となるようにして行っても、同様の効果が得られる。
【発明の効果】
【００１３】
本発明によると、流動物を均一な熱履歴でかつ十分に熱処理することができながら、設備費が著しく増加することもない、流動物の熱処理方法及び熱処理装置となる。
【発明を実施するための最良の形態】
【００１４】
次に、本発明の実施の形態を説明する。
〔流動物〕
流動物とは、例えば、粉粒状の物質（粉粒体）、液状の物質（液体）、液体中に固体が分散したスラリー状の物質など、流動性を有する物質をいう。流動物の具体例としては、例えば、下水汚泥、樹脂粉末、穀物等の食料原料、セラミック粉末ケーキ等の無機原料などを、例示することができる。
【００１５】
〔熱処理〕
本発明の熱処理には、例えば、加熱、冷却、乾燥などが、含まれる。本熱処理の目的は、特に限定されない。例えば、化学物質や樹脂、食品などの流動物を、所定の温度で所定の時間保持するなどして、流動物の物性変化や、均質化、揮発成分の蒸発分離、濃縮、晶析を図る場合などが考えられる。
【００１６】
〔熱処理装置及び方法〕
図１に、本実施の形態の熱処理装置１を示した。本熱処理装置１は、キルン形状の横型（横置き）円筒２と、この横型円筒２の内周面と内接するスクリュー羽根３と、を主に有する。
【００１７】
横型円筒２の内周面及びスクリュー羽根３の当接部（内接部）は、一体化されていても、一体化されていなくてもよい。一体化されていない場合は、通常、横型円筒２は回転せず、この横型円筒２内において、スクリュー羽根３のみが回転する。ただし、図示例のように、横型円筒２の内周面及びスクリュー羽根３の当接部（内接部）は、例えば、溶接等によって、一体化されている方が好ましい。次の理由からである。
すなわち、本熱処理装置１は、スクリュー羽根３の相互に隣接する一対の羽根片３Ａ及び３Ｂ…と、横型円筒２の底側内周面２Ａとで、横型円筒２の軸方向に複数の熱処理空間Ｃ，Ｃ…が形成されている必要がある。ところが、横型円筒２の内周面及びスクリュー羽根３の当接部（内接部）が一体化されていないと、羽根片３Ａ、３Ｂ…が、各熱処理空間Ｃ，Ｃ…の隔壁として、確実に作用せず、各熱処理空間Ｃ，Ｃ…が連続してしまい、連続した１つの空間になってしまう可能性があるためである。なお、各羽根片３Ａ、３Ｂ…は、各々が独立した羽根ではない。それぞれがスクリュー羽根３の一部を構成する。
【００１８】
本熱処理装置１においては、まず、流動物Ｒｂが、ホッパー４及び定量供給可能なフィーダー５等からなる供給制御手段によって、断続的（間欠的）に、横型円筒２に供給される（なお、この断続供給のダイミングについては、後述する。）。供給制御手段（４，５）は、横型円筒２の一方端（図示例では、紙面左側。）に取り付けられており、フィーダー５及び横型円筒２は、シール材６によって、気密化（気体が通り抜けない状態）されている。
【００１９】
横型円筒２に供給された流動物Ｒｂは、加熱，冷却、乾燥等の熱処理をされる。この熱処理の方法は、特に限定されない。例えば、加熱の場合であれば、図示例のように、横型円筒２の外周面周りに外部加熱器７設けて加熱する方法、横型円筒２の外周面周りに内部を蒸気が流通するジャケット８を設け、このジャケット８内の蒸気を、連通管９を通して、ジャケット式スクリュー１１に送り加熱する方法、横型円筒２及びスクリュー羽根３の回転軸１２（この回転軸１２は、スクリュー羽根３の内側縁３ａ内方を通っており、図示例では、水平軸となっている。）を、ロータリージョイント１２Ａを介して他の管と連通する二重管とし、この二重管（回転軸）１２と、横型円筒２の一方端側に設けられたパイプ式フライト１３，１３…とを連通させ、このフライト１３，１３…内に、二重管１２を通して、蒸気を流通させて加熱する方法（以上、全て間接加熱方式）、横型円筒２に熱風を流通させて加熱する方法（直接加熱方式）などが考えられる。ここで、本形態のフライト１３，１３…は、図２に示すように、周方向に間隔をおいて複数設けられている。本フライト１３，１３…は、横型円筒２及びスクリュー羽根３の回転にともなって、回転円筒２の軸心回りに回転するので、流動物Ｒｂの加熱機能とともに、かきあげ機能も発揮する。
【００２０】
一方端から供給された流動物Ｒｂは、以上のように加熱されつつ、スクリュー羽根３によって、他方端（図示例では、紙面右側。）まで搬送される。他方端まで搬送された流動物Ｒｂは、熱処理後の流動物（以下、単に熱処理物ともいう。）Ｒａとして、排出口１７から排出される。
【００２１】
本熱処理装置１は、横型円筒２の外周面周りにタイヤ１５，１５が設けられているとともに、横型円筒２の下方に、図示しない駆動源によって横型円筒２の軸方向を回転軸として回転するローラー１６，１６が設けられている。タイヤ１５，１５及びローラー１６，１６は、当接しており、ローラー１６，１６が回転すると、タイヤ１５，１５も回転し、もって、横型円筒２及びスクリュー羽根３が回転する。
【００２２】
〔回転及び供給の制御並びに排出〕
次に、この横型円筒２及びスクリュー羽根３の回転制御、流動物Ｒｂの供給制御、並びに熱処理物Ｒａの排出について、説明する。
【００２３】
本熱処理装置１は、図示しない回転制御手段によって、流動物Ｒｂを搬送するスクリュー羽根３の回転が、正転（流動物Ｒｂを排出口１７側に送る回転）及びこれに続く逆転（流動物Ｒｂを供給制御手段（４，５）側に戻す回転）を１回又は複数回繰り返してから、正転するように制御されている。この制御によると、正転及びこれに続く逆転（以下、単に揺動ともいう。）時には、流動物Ｒｂが排出口１７側に進まない状態になるため、横型円筒２及びスクリュー羽根３を著しく長くしたり、スクリュー羽根３のピッチを短くしたりしなくても、十分な熱処理時間を確保することができるようになる。
【００２４】
本揺動は、１回のみであっても、２回、３回、４回又はそれ以上の複数回繰り返してもよい。また、各回の揺動は、正転及び逆転がそれぞれ１回転であっても、正転及び逆転がそれぞれ２回転、つまり正転（１回転）、正転（１回転）、逆転（１回転）、逆転（１回転）であっても、正転及び逆転がそれぞれ３回転以上の複数回転であっても、よい。
【００２５】
ただし、本形態において、流動物Ｒｂ（熱処理物Ｒａ）の排出は、十分な熱処理時間の確保という目的を実現するために、最後の正転（揺動時の正転でない正転）に続く正転（揺動時の最初の正転）によって行う必要がある。したがって、スクリュー羽根３が、最後の正転に続く正転以外の正転では流動物Ｒｂが排出されない巻数になっている必要があり、揺動時の各回の正転・逆転の回転数が多くなると、それに応じてスクリュー羽根３の巻数を多くする必要が生じてしまう（設備費の増加）。したがって、揺動時の各回の正転・逆転の回転数は、少ない方が好ましく、それぞれ１回転であるのがより好ましい。
【００２６】
一方、流動物Ｒｂの供給は、最後の正転（揺動時の正転でない正転）によって前回供給した流動物Ｒｂと今回供給する流動物Ｒｂとが混ざらない状態になったとき、つまり供給制御手段（４，５）によって、最後の正転（揺動時の正転でない正転）によって前回供給した流動物Ｒｂが存在しなくなった熱処理空間Ｃのみに対して行う（断続供給）ように制御する（つまり、図示しない回転制御手段と供給制御手段（４，５）とは、連動することになる。）。流動物Ｒｂの供給を、最後の正転（揺動時の正転でない正転）によって前回供給した流動物Ｒｂと今回供給する流動物Ｒｂとが混ざらない状態になったときのみに行うと、熱処理時間差が、１回で供給した流動物Ｒｂごとに生じるに過ぎなくなるため、熱処理時間差が短くなる（つまり、本方法は、各熱処理空間を単位として行うバッチ操作を複数つなぎ合わせて連続的に行う方法ということができる。）。そして、特に１回に供給する流動物Ｒｂの量を、所定量以下に制御すれば、ほぼ均一な熱処理が可能となる。ここで、この所定量は、例えば、流動物Ｒｂの性質、横型円筒２やスクリュー羽根３の径、スクリュー羽根３のピッチ、熱処理の内容（加熱か冷却か等。）、熱処理の方法、などをファクターとして、適宜求めることができる。なお、供給時に各回の流動物Ｒｂ，Ｒｂ…が混ざらないようにすれば、各回の流動物Ｒｂ，Ｒｂ…は、横型円筒２の底側に滞留するため、スクリュー羽根３の相互に隣接する一対の羽根片３Ａ及び３Ｂ…に隔離されて、その後も混ざらないことになる。
【００２７】
次に、以上の回転及び供給の制御並びに排出について、具体例を、図３（側面図）及び図４（底面図）に基づいて、説明する。なお、図３及び図４において、流動物Ｒｂは、最初（図示例では１回目）に供給されたものをＲ１、その次（図示例では２回目）に供給されたものをＲ２、その次（図示例では３回目）に供給されたものをＲ３として、以後同様に示している。また、熱処理空間Ｃは、一方端（供給側）から他方端（排出側）へ順に、熱処理空間Ｃ１，熱処理空間Ｃ２，熱処理空間Ｃ３，熱処理空間Ｃ４と示している。
【００２８】
まず、図示例のように、１回目の供給、２回目の供給、３回目の供給を終えた後、４回目の供給を行う場合は、図３の（１）及び図４の（１）に示すように、最後の正転（揺動時の正転でない正転）によって前回（３回目）供給した流動物Ｒ３が存在しなくなった熱処理空間Ｃ１に行う。これによると、前回（３回目）供給した流動物Ｒ３と今回（４回目）供給する流動物Ｒ４は、羽根片３Ａ、３Ｂ…に隔離されるため、混じることがない。
【００２９】
流動物Ｒ４の供給を終えたら、次に、スクリュー羽根３を正転する。この正転は、最後の正転（揺動時の正転でない正転）に続く正転であり、揺動時の最初の正転にあたる。本正転によって、図３の（２）及び図４の（２）に示すように、１回目に供給した流動物Ｒ１が排出され、その後に供給した流動物Ｒ２，Ｒ３，Ｒ４は、それぞれ熱処理空間Ｃ３，Ｃ２，Ｃ１から、熱処理空間Ｃ４，Ｃ３，Ｃ２に送られる。
【００３０】
流動物Ｒ１の排出を終えたら、次に、スクリュー羽根３を逆転する。この逆転は、揺動時の正転に続く逆転にあたる。本逆転によって、図３の（３）及び図４の（３）に示すように、流動物Ｒ２，Ｒ３，Ｒ４は、それぞれ熱処理空間Ｃ４，Ｃ３，Ｃ２から、熱処理空間Ｃ３，Ｃ２，Ｃ１に戻される。
【００３１】
次いで、更にスクリュー羽根３を正転する。この正転は、揺動が１回の場合は、最後の正転（揺動時の正転でない正転）にあたり、揺動が複数回の場合は、揺動時の正転にあたる。本正転によって、図３の（４）及び図４の（４）に示すように、流動物Ｒ２，Ｒ３，Ｒ４は、それぞれ熱処理空間Ｃ３，Ｃ２，Ｃ１から、熱処理空間Ｃ４，Ｃ３，Ｃ２に送られる。本正転が揺動時の正転にあたる場合は、次に、スクリュー羽根３を逆転する。この逆転によって、図３の（３）及び図４の（３）に示すように、流動物Ｒ２，Ｒ３，Ｒ４は、それぞれ熱処理空間Ｃ４，Ｃ３，Ｃ２から、熱処理空間Ｃ３，Ｃ２，Ｃ１に戻される。
【００３２】
他方、本正転が最後の正転（揺動時の正転でない正転）にあたる場合は、図３の（５）及び図４の（５）に示すように、最後の正転（揺動時の正転でない正転）によって前回（４回目）供給した流動物Ｒ４が存在しなくなった熱処理空間Ｃ１に、５回目の供給を行う。これによると、前回（４回目）供給した流動物Ｒ４と今回（５回目）供給する流動物Ｒ５は、羽根片３Ａ、３Ｂ…に隔離されるため、混じることがない。
【００３３】
流動物Ｒ５の供給を終えたら、次に、スクリュー羽根３を正転する。この正転は、最後の正転（揺動時の正転でない正転）に続く正転であり、揺動時の最初の正転にあたる。本正転によって、図３の（６）及び図４の（６）に示すように、２回目に供給した流動物Ｒ２が排出され、その後に供給した流動物Ｒ３，Ｒ４，Ｒ５は、それぞれ熱処理空間Ｃ３，Ｃ２，Ｃ１から、熱処理空間Ｃ４，Ｃ３，Ｃ２に送られる。
【００３４】
流動物Ｒ２の排出を終えたら、次に、スクリュー羽根３を逆転する。この逆転は、揺動時の正転に続く逆転にあたる。本逆転によって、図３の（７）及び図４の（７）に示すように、流動物Ｒ３，Ｒ４，Ｒ５は、それぞれ熱処理空間Ｃ４，Ｃ３，Ｃ２から、熱処理空間Ｃ３，Ｃ２，Ｃ１に戻される。
【００３５】
次いで、更にスクリュー羽根３を正転する。この正転は、揺動が１回の場合は、最後の正転（揺動時の正転でない正転）にあたり、揺動が複数回の場合は、揺動時の正転にあたる。本正転によって、図３の（８）及び図４の（８）に示すように、流動物Ｒ３，Ｒ４，Ｒ５は、それぞれ熱処理空間Ｃ３，Ｃ２，Ｃ１から、熱処理空間Ｃ４，Ｃ３，Ｃ２に送られる。本正転が揺動時の正転にあたる場合は、次に、スクリュー羽根３を逆転する。この逆転によって、図３の（７）及び図４の（７）に示すように、流動物Ｒ３，Ｒ４，Ｒ５は、それぞれ熱処理空間Ｃ４，Ｃ３，Ｃ２から、熱処理空間Ｃ３，Ｃ２，Ｃ１に戻される。
【００３６】
他方、本正転が最後の正転（揺動時の正転でない正転）にあたる場合は、図３の（１）及び図４の（１）に示すように、最後の正転（揺動時の正転でない正転）によって前回（５回目）供給した流動物Ｒ５が存在しなくなった熱処理空間Ｃ１に、６回目の供給を行う。
【００３７】
以後、同様に繰り返されることで、流動物Ｒｂは、熱処理設備１において、連続的に熱処理されることになる。
【００３８】
〔回転制御に関する他の形態〕
以上で示した形態では、スクリュー羽根の正転、逆転、最後の正転等の回転を、いずれも同一の角度、例えば、３６０度（°）とするものである。しかしながら、スクリュー羽根の回転角度を厳密に制御することができる場合は、スクリュー羽根の（Ｓ＋α）度（°）正転及びこれに続くＳ度（°）逆転（１回の揺動でα度（°）、揺動の基点がずれることになる。）を、α＝（３６０×Ｌ／Ｐ）／（Ｔ／ｔｓ）となるようにして行っても、同様の効果が得られる。ここで、Ｌは横型円筒の有効全長（ｍ）、Ｐはスクリュー羽根のピッチ（ｍ）、Ｔは滞留時間（ｈ）、ｔｓは１回の正転及び逆転に要する時間（ｈ）、である。例えば、Ｌ＝１５（ｍ）、Ｐ＝０．５（ｍ）、Ｔ＝１０ｈ、ｔｓ＝１８（ｓｅｃ）＝０．００５（ｈ）の場合は、α＝５．４（度（°））となる。
【００３９】
この制御方法によると、タイヤ（１５）、ローラー（１６）などの駆動部関係の部材がほぼ均一に使用されることになり、機械的な損耗が均一化されるため、機械的に好ましい制御方法ということもできる。加えて、この制御方法によると、回転角度を少なくすることができ、回転角度を少なくすると流動物が持ち上がる高さも低くなるため、流動物が隣接する熱処理空間に移動してしまうおそれは、ほぼ皆無になる。
【００４０】
また、流動物のかさ密度が時間経過とともに大きく増える場合は、スクリュー羽根のピッチを、流動物の供給側から排出側に行くにしたがって、長くするとよい。流動物が隣接する熱処理空間に移動してしまうおそれを防ぐためである。
【産業上の利用可能性】
【００４１】
本発明は、流動物を、加熱、冷却、乾燥等の熱処理する方法及び装置として、適用可能である。
【図面の簡単な説明】
【００４２】
【図１】熱処理装置の断面模式図である。
【図２】図１のＩ−Ｉ線断面模式図である。
【図３】流動物の処理フロー図（側面図）である。
【図４】流動物の処理フロー図（底面図）である。
【符号の説明】
【００４３】
１…熱処理装置、２…横型円筒、３…スクリュー羽根、３Ａ，３Ｂ…羽根片、４…ホッパー、５…フィーダー、Ｃ…熱処理空間、Ｒｂ…流動物、Ｒａ…熱処理物。
【図１】
2006343041.tif 000003
【図２】
2006343041.tif 000004
【図３】
2006343041.tif 000005
【図４】
2006343041.tif 000006